【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
外部接続ピンと、
直列接続された複数のＬＥＤを含むＬＥＤアレイと、
前記ＬＥＤアレイと前記外部接続ピンとの間に接続されて、前記外部接続ピンを介して接続される電子式蛍光灯安定器のインピーダンスを変更させる少なくとも一つの容量性素子と、を含み、
前記少なくとも一つの容量性素子は、
一端は、前記第１接続ピンに接続され、他端は、前記ＬＥＤアレイのアノード側端子に接続される第１キャパシタと、
一端は、前記第２接続ピンに接続され、他端は、前記ＬＥＤアレイのカソード側端子に接続される第２キャパシタと、
を含むＬＥＤ蛍光ランプ。
【請求項２】
前記電子式蛍光灯安定器は、ハーフブリッジ方式の安定器であることを特徴とする請求項１に記載のＬＥＤ蛍光ランプ。
【請求項３】
前記外部接続ピンは、第３接続ピン及び第４接続ピンを含むことを特徴とする請求項１に記載のＬＥＤ蛍光ランプ。
【請求項４】
前記少なくとも一つの容量性素子は、
一端は、前記第３接続ピンに接続され、他端は、前記ＬＥＤアレイのアノード側端子に接続される第３キャパシタと、
一端は、前記第４接続ピンに接続され、他端は、前記ＬＥＤアレイのカソード側端子に接続される第４キャパシタとを含むことを特徴とする請求項３に記載のＬＥＤ蛍光ランプ。
【請求項５】
前記第１キャパシタに並列接続される第１抵抗と、
前記第２キャパシタに並列接続される第２抵抗と、
前記第３キャパシタに並列接続される第３抵抗と、
前記第４キャパシタに並列接続される第４抵抗とのうち、少なくとも一つをさらに含むことを特徴とする請求項４に記載のＬＥＤ蛍光ランプ。
【請求項６】
アノードは、前記第１キャパシタの他端に接続され、カソードは、前記ＬＥＤアレイのアノード側端子に接続される第１ダイオードと、
アノードは、前記ＬＥＤアレイのカソード側端子に接続され、カソードは、前記第２キャパシタの他端に接続される第２ダイオードとをさらに含むことを特徴とする請求項４に記載のＬＥＤ蛍光ランプ。
【請求項７】
アノードは、前記第１接続ピンに接続され、カソードは、前記第１ダイオードのアノードに接続される第３ダイオードと、
アノードは、前記第３接続ピンに接続され、カソードは、前記第１ダイオードのアノードに接続される第４ダイオードと、
カソードは、前記第２接続ピンに接続され、アノードは、前記第２ダイオードカソードに接続される第５ダイオードと、
カソードは、前記第４接続ピンに接続され、アノードは、前記第２ダイオードカソードに接続される第６ダイオードとのうち、少なくとも一つをさらに含むことを特徴とする請求項６に記載のＬＥＤ蛍光ランプ。
【請求項８】
前記ＬＥＤアレイは、並列に複数接続されることを特徴とする請求項１に記載のＬＥＤ蛍光ランプ。
【請求項９】
直列接続された複数のＬＥＤを含むＬＥＤアレイと、
第１〜第４接続ピンと、
前記第１接続ピンと前記ＬＥＤアレイの一端との間に接続される第１キャパシタと、
前記第２接続ピンと前記ＬＥＤアレイの前記一端との間に接続される第２キャパシタと、
前記第３接続ピンと前記ＬＥＤアレイの他端との間に接続される第３キャパシタと、
前記第４接続ピンと前記ＬＥＤアレイの前記他端との間に接続される第４キャパシタと、を含むＬＥＤ蛍光ランプ。
【請求項１０】
前記第１接続ピンと前記ＬＥＤアレイとの間に接続され、前記ＬＥＤアレイに一方向電流パスを形成する第１ダイオードと、
前記第３接続ピンと前記ＬＥＤアレイとの間に接続され、前記ＬＥＤアレイに一方向電流パスを形成する第２ダイオードとのうち、少なくとも一つをさらに含むことを特徴とする請求項９に記載のＬＥＤ蛍光ランプ。
【請求項１１】
前記第１キャパシタに並列接続され、アノードは、前記第１接続ピンに接続される第３ダイオードと、
前記第２キャパシタに並列接続され、アノードは、前記第２接続ピンに接続される第４ダイオードと、
前記第３キャパシタに並列接続され、カソードは、前記第３接続ピンに接続される第５ダイオードと、
前記第４キャパシタに並列接続され、カソードは、前記第４接続ピンに接続される第６ダイオードと、をさらに含むことを特徴とする請求項９に記載のＬＥＤ蛍光ランプ。
【請求項１２】
アノードは、前記第５ダイオードのアノードに接続され、カソードは、前記第１接続ピンに接続される第７ダイオードと、
アノードは、前記第３接続ピンに接続され、カソードは、前記第１ダイオードのカソードに接続される第８ダイオードと、
アノードは、前記第４接続ピンに接続され、カソードは、前記第２ダイオードのカソードに接続される第９ダイオードと、
アノードは、前記第６ダイオードのアノードに接続され、カソードは、前記第２接続ピンに接続される第１０ダイオードと、をさらに含むことを特徴とする請求項１１に記載のＬＥＤ蛍光ランプ。
【請求項１３】
前記第１キャパシタに並列接続される第１抵抗と、
前記第２キャパシタに並列接続される第２抵抗と、
前記第３キャパシタに並列接続される第３抵抗と、
前記第４キャパシタに並列接続される第４抵抗と、をさらに含むことを特徴とする請求項９に記載のＬＥＤ蛍光ランプ。
【請求項１４】
直列接続された複数のＬＥＤを含むＬＥＤアレイと、
第１及び第２接続ピンと、
一端は、前記第１接続ピンに接続され、他端は、前記ＬＥＤアレイの一端に接続される第１キャパシタと、
一端は、前記第２接続ピンに接続され、他端は、前記ＬＥＤアレイの他端に接続される第２キャパシタと、
前記第１接続ピンと前記第２接続ピンとの間に接続され、前記ＬＥＤアレイに一方向電流パスを形成する少なくとも一つのダイオードと、を含むＬＥＤ蛍光ランプ。
【請求項１５】
前記少なくとも一つのダイオードは、
アノードは、前記第１キャパシタの他端に接続され、カソードは、前記ＬＥＤアレイのアノード側端子に接続される第１ダイオードと、
アノードは、前記ＬＥＤアレイのカソード側端子に接続され、カソードは、前記第２キャパシタの他端に接続される第２ダイオードのうち、少なくとも一つであることを特徴とする請求項１４に記載のＬＥＤ蛍光ランプ。
【請求項１６】
第３及び第４接続ピンと、
一端は、前記第３接続ピンに接続され、他端は、前記ＬＥＤアレイの一端に接続される第３キャパシタと、
一端は、前記第４接続ピンに接続され、他端は、前記ＬＥＤアレイの他端に接続される第４キャパシタと、をさらに含むことを特徴とする請求項１５に記載のＬＥＤ蛍光ランプ。
【請求項１７】
アノードは、前記第１キャパシタの前記他端に接続され、カソードは、前記第１ダイオードのアノードに接続される第３ダイオードと、
カソードは、前記第２キャパシタの前記他端に接続され、アノードは、前記第２ダイオードのカソードに接続される第４ダイオードと、
アノードは、前記第３キャパシタの前記他端に接続され、カソードは、前記第１ダイオードのアノードに接続される第５ダイオードと、
カソードは、前記第４キャパシタの他端に接続され、アノードは、前記第２ダイオードのカソードに接続される第６ダイオードとのうち、少なくとも一つをさらに含むことを特徴とする請求項１６に記載のＬＥＤ蛍光ランプ。
【請求項１８】
アノードは、前記第４ダイオードのアノードに接続され、カソードは、前記第１キャパシタの他端に接続される第７ダイオードと、
アノードは、前記第２キャパシタの他端に接続され、カソードは、前記第３ダイオードのカソードに接続される第８ダイオードと、
アノードは、前記第４キャパシタの他端に接続され、カソードは、前記第５ダイオードのカソードに接続される第９ダイオードと、
アノードは、前記第６ダイオードのアノードに接続され、カソードは、前記第３キャパシタの他端に接続される第１０ダイオードと、をさらに含むことを特徴とする請求項１７に記載のＬＥＤ蛍光ランプ。
【請求項１９】
前記ＬＥＤアレイは、並列に複数接続されることを特徴とする請求項１４に記載のＬＥＤ蛍光ランプ。
【請求項２０】
直列接続された複数のＬＥＤを含むＬＥＤアレイと、
第１〜第４接続ピンと、
一端が前記第１〜第４接続ピンにそれぞれ接続される第１〜第４キャパシタと、
アノードは、前記第１及び第３キャパシタの他端に共通接続され、カソードは、前記ＬＥＤアレイの一端に接続される第１ダイオードと、
アノードは、前記ＬＥＤアレイの他端に接続され、カソードは、前記第２及び第４キャパシタの他端に共通接続される第２ダイオードと、
アノードは、前記第２ダイオードのカソードに接続され、カソードは、前記ＬＥＤアレイの前記一端に接続される第３ダイオードと、
アノードは、前記ＬＥＤアレイの前記他端に接続され、カソードは、前記第１ダイオードのアノードに接続される第４ダイオードと、を含むＬＥＤ蛍光ランプ。
【請求項２１】
アノードは、前記第１接続ピンに接続され、カソードは、前記第１キャパシタの前記他端に接続される第５ダイオードと、
アノードは、前記第２接続ピンに接続され、カソードは、前記第２キャパシタの前記他端に接続される第６ダイオードと、
アノードは、前記第３接続ピンに接続され、カソードは、前記第３キャパシタの前記他端に接続される第７ダイオードと、
アノードは、前記第４接続ピンに接続され、カソードは、前記第４キャパシタの前記他端に接続される第８ダイオードと、をさらに含むことを特徴とする請求項２０に記載のＬＥＤ蛍光ランプ。
【請求項２２】
カソードは、前記第１接続ピンに接続され、アノードは、前記第１キャパシタの前記他端に接続される第５ダイオードと、
カソードは、前記第２接続ピンに接続され、アノードは、前記第２キャパシタの前記他端に接続される第６ダイオードと、
カソードは、前記第３接続ピンに接続され、アノードは、前記第３キャパシタの前記他端に接続される第７ダイオードと、
カソードは、前記第４接続ピンに接続され、アノードは、前記第４キャパシタの前記他端に接続される第８ダイオードと、をさらに含むことを特徴とする請求項２０に記載のＬＥＤ蛍光ランプ。
【請求項２３】
前記ＬＥＤアレイは、並列に複数接続されることを特徴とする請求項２０に記載のＬＥＤ蛍光ランプ。
【請求項２４】
直列接続された複数のＬＥＤを含むＬＥＤアレイと、
第１〜第４接続ピンと、
一端が前記第１〜第４接続ピンにそれぞれ接続される第１〜第４キャパシタと、
カソードが前記ＬＥＤアレイの一端に接続される第１ダイオードと、
アノードが前記ＬＥＤアレイの他端に接続される第２ダイオードと、
アノードは、前記第１キャパシタの他端に接続され、カソードは、前記第１ダイオードのアノードに接続される第３ダイオードと、
アノードは、前記第２ダイオードのカソードに接続され、カソードは、前記第２キャパシタの他端に接続される第４ダイオードと、
アノードは、前記第３キャパシタの他端に接続され、カソードは、前記第１ダイオードのアノードに接続される第５ダイオードと、
アノードは、前記第２ダイオードのカソードに接続され、カソードは、前記第４キャパシタの他端に接続される第６ダイオードと、
アノードは、前記ＬＥＤアレイの前記他端に接続され、カソードは、前記第１キャパシタの他端に接続される第７ダイオードと、
アノードは、前記第２キャパシタの他端に接続され、カソードは、前記ＬＥＤアレイの前記一端に接続される第８ダイオードとを含むＬＥＤ蛍光ランプ。
【請求項２５】
アノードは、前記第４キャパシタの他端に接続され、カソードは、前記ＬＥＤアレイの前記一端に接続される第９ダイオードと、
アノードは、前記ＬＥＤアレイの他端に接続され、カソードは、前記第３キャパシタの他端に接続される第１０ダイオードとをさらに含むことを特徴とする請求項２４に記載のＬＥＤ蛍光ランプ。
【請求項２６】
前記ＬＥＤアレイは、複数が並列接続されることを特徴とする請求項２４に記載のＬＥＤ蛍光ランプ。